(57)【特許請求の範囲】
【請求項１】
長手方向に列設される多数の遊技機とその関連機器の電源線及び信号線が配線され、前記遊技機の電源電圧は前記関連機器の電源電圧よりも低い電圧が供給される島台内の配線構造において、
前記島台内には、前記遊技機が設置される遊技機設置空間と、該遊技機設置空間の上方であって、前記島台に開閉自在または着脱自在に設けられる欄間が開放されたときに露出する欄間開放空間とが形成され、
前記欄間開放空間の上方には、前記電源線及び信号線を分別して嵌入可能な配線受け材が前記島台の長手方向に沿って設けられ、
該配線受け材は、上方から前記電源線を嵌入可能に形成されると共に、前記欄間開放空間から前記信号線を出し入れ自在に形成され、
前記欄間開放空間の下部または側部には、前記電源線から延びた前記関連機器と接続される高電圧コンセントが前記島台に固定して設けられ、
前記遊技機設置空間には、前記電源線から延びた前記遊技機と接続される低電圧コンセントがフレキシブルに吊り下げ配置されることを特徴とする島台内配線構造。
【請求項２】
前記高電圧コンセントに接続する前記電源線が前記島台に固定されていることを特徴とする請求項１に記載の島台内配線構造。
【請求項３】
前記配線受け材は、所定の距離を隔てて複数設けられることを特徴とする請求項１または請求項２に記載の島台内配線構造。
【発明の詳細な説明】
【技術分野】
【０００１】
本発明は、多数の遊技機やその関連機器が設けられる島台に関し、さらに詳しくは、それらの遊技機や各種の機器から延びる電源線および信号線を処理するための島台内配線構造に関する。
【背景技術】
【０００２】
従来、島台には多数の遊技機やその関連機器、例えば、パチンコ機やパチスロ機などの遊技機と、玉貸機、呼出ランプ、代表ランプ、玉返却計数装置および玉研磨揚送装置などの多種多様な関連機器が設けられている。
【０００３】
ところで、これらの遊技機や各種の機器から延びる電源線や信号線を処理するための島台内配線構造に関する技術が特許文献１に開示されている。この特許文献１に開示されている技術は、島台の最上部中央の長手方向に沿って配線ボックスを設け、その内部に電源線や信号線を敷設すると共に、配線ボックスの底面に遊技機や各種の機器から延びる電源線と接続するコンセントや信号線を引き通す配線引通し部を形成している。このような構成により、配線作業の簡略化や配線の保守管理を容易にしようとするものである。
【０００４】
しかしながら、特許文献１に開示されている技術は、配線ボックスが島台の最上部中央に設置されるので、島台の両側に設置された遊技機や各種機器の電源線や信号線総てが一箇所に集中することになり、その結果、配線が絡まったりすることで配線の引き直しに手間取ったり、配線ミスが生じるおそれもある。
【０００５】
そこで、このような不都合を解消するための技術が特許文献２に開示されている。この特許文献２に開示されている技術は、島台の両側にそれぞれ配線ボックスを設け、その内部に電源線のみを敷設すると共に、配線ボックスの底面や側面に遊技機や各種の機器から延びる電源線と接続するコンセントを形成するものである。
【先行技術文献】
【特許文献】
【０００６】
【特許文献１】特開平６−６３２３９号公報
【特許文献２】特開２００５−１３７６２７号公報
【発明の概要】
【発明が解決しようとする課題】
【０００７】
しかしながら、上記特許文献１および特許文献２の技術では、両者共に遊技機や各種機器の電源用コンセントが島台の上部に配置されるので、かかる構成では、遊技機や各種機器の電源コードがぶら下がってしまい、例えば補給装置などの修理作業中に誤ってこれらの電源コードを引っかけて、遊技機や各種機器の電源を遮断してしまうという問題点がある。
【０００８】
さらに、遊技機と各種機器では、それらの電源電圧が例えば遊技機は２４Ｖ、各種機器は１００Ｖというように一般的に異なっており、そのため、遊技機や各種機器の電源用コンセントも２４Ｖ用、１００Ｖ用に２種類設けられるのであるが、１００Ｖ用のコンセントに遊技機の電源プラグを誤って差し込むと、高価な遊技機の制御基板等が破損してしまうので、このような配線ミスを未然に防止する手段が極めて重要な課題となる。
【０００９】
しかしながら、上記特許文献１および特許文献２の技術では、全てのコンセント、即ち２４Ｖ用と１００Ｖ用のコンセントの全てが島台上部の同じような位置に混在するので、かかる構成では、１００Ｖ用のコンセントに遊技機の電源プラグを誤って差し込むという配線ミスが少なからず発生してしまうという問題点がある。
【００１０】
本発明は、上記したような問題点を解決するためになされたもので、その目的とするところは、遊技機や各種機器の電源線および信号線の配線作業や配線の保守管理を容易にすると共に、補給装置などの修理作業中に誤って電源コードを引っかけて遊技機や各種機器の電源を遮断してしまうことのない島台内配線構造を提供することにある。
【課題を解決するための手段】
【００１１】
このような問題を解決するために、本発明の島台内配線構造は、請求項１に記載したように、長手方向に列設される多数の遊技機とその関連機器の電源線及び信号線が配線され、前記遊技機の電源電圧は前記関連機器の電源電圧よりも低い電圧が供給される島台内の配線構造において、前記島台内には、前記遊技機が設置される遊技機設置空間と、該遊技機設置空間の上方であって、前記島台に開閉自在または着脱自在に設けられる欄間が開放されたときに露出する欄間開放空間とが形成され、前記欄間開放空間の上方には、前記電源線及び信号線を分別して嵌入可能な配線受け材が前記島台の長手方向に沿って設けられ、該配線受け材は、上方から前記電源線を嵌入可能に形成されると共に、前記欄間開放空間から前記信号線を出し入れ自在に形成され、前記欄間開放空間の下部または側部には、前記電源線から延びた前記関連機器と接続される高電圧コンセントが前記島台に固定して設けられ、前記遊技機設置空間には、前記電源線から延びた前記遊技機と接続される低電圧コンセントがフレキシブルに吊り下げ配置されることを特徴とする。
【００１２】
また、請求項２に記載の島台内配線構造は、請求項１に記載の島台内配線構造において、前記高電圧コンセントに接続する前記電源線が前記島台に固定されていることを特徴とする。
【００１５】
また、請求項３に記載の島台内配線構造は、請求項１または請求項２に記載の島台内配線構造において、前記配線受け材は、所定の距離を隔てて複数設けられることを特徴とする。
【発明の効果】
【００１８】
請求項１の発明に係わる島台内配線構造は、多数の遊技機とその関連機器の電源線及び信号線が配線され、遊技機の電源電圧は関連機器の電源電圧よりも低い電圧が供給されるように配線されている。遊技機としてはパチンコ機などの遊技機が挙げられ、その電源電圧は例えば２４Ｖ、また、関連機器としては玉貸機、呼出ランプなど遊技機に関連する様々な機器が挙げられ、その電源電圧は例えば１００Ｖになっている。つまり、遊技機のみが低電圧電源で、遊技機以外の関連機器は高電圧電源になっており、島台には、これらの遊技機と関連機器が長手方向に多数列設されるようになっている。なお、長手方向とは、遊技機を正面からみたときの左右方向をいう。
【００１９】
そして、このような島台に配線される電源線及び信号線のうち、信号線は、遊技機と関連機器を接続したり、遊技機や関連機器と島台外部に設置されるホール管理コンピュータ等に接続されたりして所定の信号を送信する比較的細くて軽い線であって、その種類は様々なものがあり、一方、電源線は、遊技機や関連機器に電源電圧を供給するための信号線に比べ太くて重い線であって、上記したように、遊技機に低電源電圧を供給するものと、関連機器に高電源電圧を供給するものとがある。
【００２０】
また、島台の内部には、遊技機が設置される遊技機設置空間と、この遊技機設置空間の上方に欄間開放空間とが形成されており、遊技機設置空間は、島台の骨組みを構成している縦柱と横桟とで略囲まれる領域であり、一方、欄間開放空間は、この遊技機設置空間の上方に位置し、遊技機設置空間と同様な島台の骨組みを構成している縦柱と横桟とで略囲まれる領域である。
【００２１】
ここで、島台には、島台上部で開閉自在または着脱自在に板状の欄間が設けられるようになっており、欄間開放空間は、欄間が取り付けられた後は、欄間が開放されたときに露出する空間である。また、遊技機は、通常その本体部が枠に対して回動自在に設けられるようになっており、遊技機設置空間は、遊技機が島台に取り付けられた後は、遊技機の本体部が回動されたときに露出する空間である。
【００２２】
そして、欄間開放空間は、補給樋や玉分離器などの遊技媒体を補給する設備機器等にトラブルが発生したときや、遊技機に関連する様々な機器の保守点検や修理及び配線などに欄間を開放して対処するために利用される空間であり、遊技機設置空間は、同様に、遊技機にトラブルが発生したときや、遊技機の保守点検や修理及び配線などに遊技機本体部を開放して対処するために利用される空間である。
【００２３】
しかして、欄間開放空間の上方には、遊技機とその関連機器の電源線及び信号線を分別して嵌入可能な配線受け材が島台の長手方向に沿って設けられており、この配線受け材は、上方から電源線を嵌入可能に形成されると共に、欄間開放空間から信号線を出し入れ自在に形成されている。
【００２４】
つまり、この配線受け材は、欄間開放空間の上方で島台の長手方向に沿って配置されており、島台上方の開放空間から一気に遊技機や関連機器の電源線を複数まとめて入線することができるように形成されている。また、さらに、配線受け材は、欄間開放空間から、即ち欄間を開放して遊技機や関連機器の信号線を出し入れ自在に形成されていると共に、電源線と信号線を分別して嵌入可能に形成されている。
【００２５】
そして、欄間開放空間の下部または側部、例えば欄間開放空間を形成する下方に配置された横桟（欄間開放空間の下部）や縦柱（欄間開放空間の側部）には、電源線から延びた関連機器と接続される高電圧コンセントが島台に固定して設けられ、一方、遊技機設置空間には、電源線から延びた遊技機と接続される低電圧コンセントがフレキシブルに吊り下げ配置されるようになっている。即ち、欄間開放空間の下部または側部に関連機器用の高電圧コンセントが配置され、遊技機設置空間には、遊技機用の低電圧コンセントが配置されることになる。
【００２６】
このような構成の請求項１の発明によれば、欄間開放空間の上方であって島台の長手方向に沿って配線受け材が形成され、この配線受け材は、島台の上方から電源線を嵌入可能に設けられているので、島台上方の開放空間から一気に複数の電源線を配線受け材に分別して入線することができ、従って、太くて重く嵩張る電源線の配線作業が極めて容易となる。
【００２７】
また、信号線は、電源線と同様に配線受け材に分別して入線でき、しかも配線受け材が欄間開放空間の上方に設けられているので、欄間を開放して露出する欄間開放空間を利用して、島台の側方向から配線受け材に出し入れすることができるので、信号線の配線作業も極めて容易となる。つまり、各種の関連機器の修理や点検等に係わる信号線の配線作業は、島台の側方向から配線受け材の信号線を一旦取り出し、その後修理、点検等を終えたら、再び信号線を配線受け材に嵌入するだけの簡単な作業で行うことが可能となり、信号線の配線作業の効率が極めてよくなる。
【００２８】
さらに、欄間開放空間の下部または側部に各関連機器と接続される高電圧コンセントが島台に固定して設けられているので、欄間を開放して行う関連機器の修理や点検、あるいは補給設備のトラブルを解消する作業などを極めて容易にすることができる。
【００２９】
加えて、遊技機設置空間には、遊技機と接続される低電圧コンセントのみが配置されているので、新装開店や遊技機の入れ替えなどの際、遊技機が遊技機設置空間に設置されたとき、即ち遊技機が島台に設置されたとき、遊技機に電源を供給するため遊技機の本体部を回動させて遊技機設置空間を露出させると、該遊技機設置空間には低電圧コンセントしか見えないので、従って、誤って高電圧コンセントに遊技機の電源プラグを差し込んでしまい、高価な遊技機の制御基板等が破損してしまうというトラブルを効果的に防止することができ、即ち遊技機の電源線の配線を極めて容易にすることができる。
【００３０】
また、請求項１に記載の発明では、低電圧コンセントは、遊技機設置空間にフレキシブルに吊り下げ配置されている。
【００３１】
このような構成によれば、低電圧コンセントは、遊技機設置空間にフレキシブルに吊り下げ配置されているので、遊技機の電源プラグを低電圧コンセントの差し込み口に差し込むことは、極めて容易に行うことができ、従って、島台への遊技機設置の作業効率が向上する。
【００３２】
また、請求項２に記載の発明は、請求項１に記載の島台内配線構造において、高電圧コンセントに接続する電源線が島台に固定されている。
【００３４】
ところで、配線受け材は、島台の長手方向に沿って連設するように設けてもよいが、次のようにするとよい。即ち、請求項３に記載の発明は、請求項１または請求項２に記載の島台内配線構造において、配線受け材は、所定の距離を隔てて複数設けられるようにした。ここで所定の距離は、例えば遊技機１台分の幅と同じくらいの距離でもよく、適宜設定すればよいが、あまり長いと電源線や信号線が垂れ下がってしまうので好ましくない。
【００３５】
このように、配線受け材を所定の距離を隔てて複数設けるようにすれば、例えば配線受け材を島台の長手方向に沿って連設するように設けた場合に比べ、信号線を引っかけたりつまみ上げたりするだけの作業で、極めて容易に配線受け材に信号線を出し入れすることができ、さらに、配線受け材の取り付けも容易になると共に、配線受け材の材料が節約できてコストダウンとなる。
【図面の簡単な説明】
【００３８】
【図１】本実施形態のパチンコ島台１の全体を示す正面図である。
【図２】本実施形態のパチンコ島台１の中央から左側の内部構造の一部を示す正面図である。
【図３】本実施形態のパチンコ島台１の中央から左側の内部構造の一部を示す平面図である。
【図４】本実施形態の図３のＡ−Ａ断面図である。
【図５】本実施形態の配線受け材３５の全体斜視図である。
【図６】本実施形態の配線受け材３５をパチンコ島台１に取り付けた状態を示す斜視図である。
【図７】本実施形態のパチンコ島台１に配線された電源線５５を説明するための模式図である。
【図８】本実施形態のパチンコ島台１に電源線５５及び信号線５６が配線されたときの状態を説明するための図４の左上方拡大図である。
【図９】本実施形態のパチンコ島台１に電源線５５及び信号線５６が配線されたときの状態を説明するための図４の左上方拡大図である。
【図１０】本実施形態の電源線５５及び信号線５６が配線されときのパチンコ島台１の中央から左側の内部構造の一部を示す正面図である。
【図１１】他の実施例のパチンコ島台１に配線された電源線５５を説明するための模式図である。
【図１２】他の実施例のパチンコ島台１に配線された電源線５５を説明するための模式図である。
【図１３】他の実施形態に係わる配線受け材１３５の全体斜視図である。
【図１４】他の実施形態に係わる配線受け材１３５をパチンコ島台１に取り付けた状態を示す斜視図である。
【図１５】他の実施形態に係わる配線受け材３５をパチンコ機２と１対２で対応するように設けたときのパチンコ島台１の中央から左側の内部構造の一部を示す正面図である。
【発明を実施するための形態】
【００３９】
以下に、本発明の実施の形態を図を用いて説明する。
図１は、パチンコ島台１の全体正面図である。本実施形態のパチンコ島台１は、その長手方向の両側に多数のパチンコ機２を背向列設するもので、パチンコ機２は、図示していないが、枠と本体部から形成され、本体部は枠に対して回動自在に設けられるようになっている。各パチンコ機２の間には、パチンコ機２と１対１で対応するように玉貸機３が配置されており、パチンコ島台１の両端には、妻板５が設けられ、この両端の妻板５間には、パチンコ機２の下部に位置するように板状のカウンター６が形成されている。
【００４０】
また、パチンコ島台１の上部には、上記玉貸機３と同様に、パチンコ機２と１対１で対応するように欄間７が設けられており、この欄間７は、パチンコ島台１に対して開閉自在に設けられ、例えばパチンコ島台１内部の後述する補給樋や玉分離器が玉詰まりを起こしたときなどのトラブルに対処できるようになっている（後述の図８参照）。なお、欄間７は、パチンコ機２が２台に対して１つ設けるようにしてもよいし、パチンコ島台１に対して着脱自在に設けるようにしてもよい。
【００４１】
また、欄間７の下方には、板状の幕板８が設けられており、この幕板８には、上記玉貸機３や欄間７と同様に、パチンコ機２と１対１で対応するように呼出ランプ９が設けられている。呼出ランプ９は、パチンコ機２にトラブルが発生したときなどに、遊技者の操作により点灯／点滅して店員を呼び出したり、パチンコ機２が大当りしたときなどに自動で点灯／点滅して装飾効果を高めたりする。また、呼出ランプ９は、対応するパチンコ機２の稼働データを収集し、この収集した稼働データをパチンコ島台１外の遊技場の所定場所に設けられるホール管理コンピュータ（図示しない）に送信すると共に、この収集した稼働データに基づいて所定の遊技情報などを遊技者に報知する表示部を備えている。
【００４２】
また、妻板５の上部には代表ランプ１５が設けられており、この代表ランプ１５は、通常時は、装飾効果を高めるために所定の態様で点灯しており、上記した呼出ランプ９が操作されたとき、またはパチンコ機２が大当りしたときなどに所定の態様で点灯／点滅して店員にその旨を報知するようになっている。
【００４３】
また、パチンコ島台１の下部には、上記カウンター６の下方に位置する板状の腰板１０が設けられており、さらに、この腰板１０と遊技場の床面との間には、板状の幅木１１が設けられている。また、パチンコ島台１の中央には、後述する玉研磨揚送装置などが収納される収納ボックス１３が立設されており、収納ボックス１３の上部には、玉研磨揚送装置から排出されたパチンコ玉を多量に貯留する上部貯留タンク２５が形成されている。また、パチンコ島台１の端部には、遊技者が獲得したパチンコ玉を返却したときに、そのパチンコ玉数を数値記録したレシートを発行する玉返却計数装置１６が設けられている。
【００４４】
なお、図１において、パチンコ機２、玉貸機３、カウンター６、欄間７、幕板８、呼出ランプ９、腰板１０、幅木１１及び代表ランプ１５は、本図に示されていない裏側の面にも同様に設けられている。
【００４５】
次に図２ないし図４を参照しながら、パチンコ島台１の内部構成について説明する。図２は、パチンコ島台１の中央から左側の内部構造の一部を示す正面図であり、図３は、パチンコ島台１の中央から左側の内部構造の一部を示す平面図であり、図４は、図３のＡ−Ａ断面図である。
【００４６】
まず、図２を参照して、パチンコ島台１の内部中央には、電源投入後常時駆動される玉研磨揚送装置１２が立設されており、この玉研磨揚送装置１２は、モータを内蔵した下部駆動プーリにより無端状の搬送ベルトを回転駆動するもので、この搬送ベルトの摩擦力により、下部貯留タンク２１や回収樋３０から誘導されてくるパチンコ玉を研磨布に接触させながら上昇せしめ、最終的に上端の排出口から収納ボックス１３に設けられている上部貯留タンク２５内に研磨揚送するようになっている。なお、玉研磨揚送装置１２は、螺旋体によって研磨ペレットとパチンコ玉とを混合しながら揚送する形式のものや、ベルトにバケットを固定した形式のものであってもよい。
【００４７】
前記上部貯留タンク２５の底面部には、パチンコ島台１の端部に向かって下方傾斜した補給樋（樋状に形成された補給通路のこと）２７が接続されており、この補給樋２７の途中部位には、各パチンコ機２及び玉貸機３に対応した玉分離器２８が設けられている。これにより、玉研磨揚送装置１２により揚送研磨された研磨済のパチンコ玉は、上部貯留タンク２５の底面部から補給樋２７に流出され、その後、玉分離器２８から蛇腹などを介して各パチンコ機２の賞品玉タンク及び玉貸機３に供給されるようになっている。なお、上記玉分離器２８には、図示は省略するが、周知のように補給された玉数を計数するための玉計数器が付設されており、この玉計数器から遊技場に設けられるホール管理コンピュータに補給（セーフ）玉信号が送られるようになっている。
【００４８】
そして、パチンコ機２に供給されたパチンコ玉は、パチンコ遊技に使用されるとパチンコ機２の排出口から外部に落下するようになっており、この落下した使用済みのパチンコ玉は、パチンコ島台１に設けられたアウト玉計数ボックス４０に導出されるようになっている。アウト玉計数ボックス４０は、パチンコ機２と１対１で対応するように、パチンコ島台１の内部においてパチンコ機２の下部に位置するように配置され、パチンコ機２の排出口から落下したパチンコ玉を全て受け入れて、この受け入れたパチンコ玉を下部貯留タンク２１や回収樋３０に導出するようになっている。なお、このアウト玉計数ボックス４０にも、上記玉分離器２８と同様にアウト玉を計数するための玉計数器が付設されており、ホール管理コンピュータにアウト玉信号が送られるようになっている。以上のような構成により、多数のパチンコ玉がパチンコ島台１内を循環するようになっている。
【００４９】
パチンコ島台１は、図２に示すように、多数の島柱３３に上から横桟３２ａ、３２ｂ、３２ｃなどを水平に架設した格子状の骨組みになっており、また、島台上部の縦桟３３ａは、図４に示すように、島柱３３に連結板３４で取り付けられられるようになっており、その上端部が横桟３２ａに、下端部が横桟３２ｂにそれぞれ接続されている。そして、これらの骨組みに上記したようなパチンコ機２や各種の機器が取り付けられるようになっている。
【００５０】
図中、２本の島柱３３、３３と横桟３２ｂ、３２ｃにて略囲まれる領域は遊技機設置空間３７であり、この空間にパチンコ機２１が取り付けられる。また、この遊技機設置空間３７は、パチンコ機２１が取り付けられた後は、パチンコ機２１の本体部が回動されたときに露出する空間である。一方、２本の縦桟３３ａと横桟３２ａ、３２ｂにて略囲まれる領域は欄間開放空間３８であり、この空間は、欄間７が取り付けられた後は、欄間７が開放されたときに露出する空間であって、上記したように、補給樋２７や玉分離器２８が玉詰まりを起こしたときなどのトラブルに、店員が欄間７を開放してこの欄間開放空間３８を利用して対処する。
【００５１】
また、パチンコ島台１の最上部となる横桟３２ａには、配線受け材３５が設けられており、この配線受け材３５は、パチンコ機２と１対１で対応するように、縦桟３３ａおよび連結板３４と横方向に少しの間隔をおいて設けられると共に、その奥行きは、島柱３３より僅かに手前まで延びて設けられている。この配線受け材３５は、パチンコ島台１の両側で遊技機設置空間３７と欄間開放空間３８の真上に位置するように設けられ、パチンコ機２や玉貸機３、呼出ランプ９に代表される各種機器の電源線と信号線をそれぞれ分けて受ける断面略Ｆ字状の部材である。
【００５２】
なお、信号線の種類としては、上記した玉分離器２８およびアウト玉計数ボックス４０の玉計数器からの補給（セーフ）玉信号線やアウト玉信号線、呼出ランプ９からのパチンコ機２の稼働データに係わる信号線（大当り信号線、確率変動信号線、時短信号線、スタート信号線、ドア開放信号線など）及び共通の渡り線など、パチンコ島台１に設置される機器に関連する様々な種類の信号線がある。これらの信号線は、図示していないが、最終的にまとめられて遊技場の天井または床下などを通って、管理室に設置されるホール管理コンピュータに接続されるようになっている。ホール管理コンピュータは、これらの信号線から入力される信号に基づいて、様々なデータを加工表示すると共に、パチンコ島台１に設けられた各種機器へ出力信号を送出する。
【００５３】
次に、図５を参照しながら、配線受け材３５の構成について説明する。図５は、配線受け材３５の全体斜視図である。配線受け材３５は、硬質のプラスチックやステンレス、アルミ、鉄板等の金属で形成される断面略Ｆ字状の部材で、下部には平板状の底板４２が形成され、この底板４２の奥行き方向の奥側端部には側片４５が立設されている。また、底板４２の側片４５より手前側には、側片４５と同様な仕切片４６が立設されており、これら底板４２、側片４５、仕切片４６とで形成される略コの字状領域が、上記した様々な種類の信号線を受ける信号線受け部４７となる。
【００５４】
一方、底板４２の側片４５と反対側の端部には、側片４５、仕切片４６と略同様な取付片４３が立設されており、これら底板４２、仕切片４６、取付片４３とで形成される略コの字状領域の一部が、上記した電源線を受ける電源線受け部４８となる。また、取付片４３の中央部には、配線受け材３５をパチンコ島台１に取り付けるための長穴４４が穿設されている。
【００５５】
このような構成の配線受け材３５をパチンコ島台１に取り付けるには、次のようにする。図６は、配線受け材３５をパチンコ島台１に取り付けた状態を示す斜視図である。図に示すように、配線受け材３５は、底板４２の仕切片４６より手前側上面を横桟３２ａの下面に当接させてから、取付片４３の内面（奥行き側）を横桟３２ａの手前側面に当接させる。そして、その状態を維持しつつ、長穴４４にネジ５３を挿入して螺着させることにより、配線受け材３５をパチンコ島台１に取り付ける。従って、上記した電源線を受ける電源線受け部４８は、図６に示すように、底板４２、仕切片４６と横桟３２ａとで形成される略コの字状領域になる。そして、図２に示したように、配線受け材３５がパチンコ機２と１対１で対応するように、縦桟３３ａと横方向に少しの間隔をおいて順次パチンコ島台１に取り付ける。
【００５６】
なお、長穴４４により、配線受け材３５は、その高さ方向の取付位置が調整できるようになっているが、これは、次の理由からである。即ち、パチンコ島台１は、遊技場の要求により様々な機器が設置されるため、遊技場ごとに仕様が異なることが多い。そのため、配線受け材３５を通常の取付位置に設置しようとすると、パチンコ島台１内に設置された機器に衝突するなどの支障を来すことがあるので、このような支障を回避するため配線受け材３５には、長穴４４が形成されている。なお、配線受け材３５が、図６に示したような通常の取付位置に設置されないとき、つまり、通常の取付位置より下方に設置されるときは、当然ながら、底板４２の上面と横桟３２ａの下面とは、当接することはない。
【００５７】
次に、図７ないし図１２を参照しながら、パチンコ島台１に、パチンコ機２や各種機器の電源線５５及び信号線５６が配線される場合を説明する。図７は、パチンコ島台１に配線された電源線５５を説明するための模式図、図８及び図９は、パチンコ島台１に電源線５５及び信号線５６が配線されたときの状態を説明するための図４の左上方拡大図、図１０は、電源線５５及び信号線５６が配線されときのパチンコ島台１の中央から左側の内部構造の一部を示す正面図、図１１及び図１２は、他の実施例のパチンコ島台１に配線された電源線５５を説明するための模式図である。
【００５８】
まず、図７を参照して、パチンコ機２や各種機器の電源線５５について説明すると、パチンコ島台１の両側の妻板５、あるいは中央の収納ボックス１３などの所定箇所にはブレーカボックス６５が設けられるようになっており、パチンコ機２や各種機器の多くの電源線５５はこのブレーカボックス６５から延びている。ブレーカボックス６５には、図示していないが、電源線５５の数に対応した所定定格電流の個別ブレーカを備えた回路と、これら個別ブレーカ全ての回路を一括遮断するためのブレーカが設けられ、各電源線５５は、これらの個別ブレーカを備えた回路とそれぞれ接続されている。従って、電源線５５に定格電流以上の電流が流れた場合には、これらのブレーカにより回路が遮断されてパチンコ機２や各種機器が保護されるようになっている。
【００５９】
図中、５７は、高電圧コンセントとしての１００Ｖ用コンセントであり、この１００Ｖ用コンセント５７は、後述するパチンコ機２用の低電圧コンセントと容易に区別できるよう白色且つ矩形状に形成されている。１００Ｖ用コンセント５７は、１本の電源線５５から分岐して２個設けられるようになっており、従って、例えばパチンコ島台１の片側にパチンコ機２が２０台設置されていれば、１０本の電源線５５がパチンコ島台１の片側に引き通され、つまりパチンコ島台１全体で２０本の電源線５５が引き通されることになる。なお、図７では、模式的に、パチンコ島台１の両側でそれぞれ４本づつの電源線５５が引き通された例を示している。
【００６０】
１００Ｖ用コンセント５７は、パチンコ機２と１対１で対応して設けられ、電源プラグの差し込み口を３つ備えており、その一つにトランス５９の電源プラグが接続される。また、残りの２つの電源プラグの差し込み口には、図示していないが、玉貸機３と呼出ランプ９の電源プラグが接続されるようになっている。これらトランス５９、玉貸機３、呼出ランプ９は、パチンコ機２と１対１で対応して設けられる機器である。
【００６１】
なお、本図においては、１００Ｖ用コンセント５７は、電源プラグの差し込み口が３つになっているが、トランス５９、玉貸機３、呼出ランプ９以外の高電圧（１００Ｖ）機器がブレーカの定格電流の範囲内で接続できるように、電源プラグの差し込み口を３つより増やしてもよいし、また、電源プラグの差し込み口が１つの１００Ｖ用コンセントを電源線５５から分岐させて個別で追加して設けるようにしてもよい。
【００６２】
トランス５９は、１００Ｖ用コンセント５７から取得した１００Ｖの電圧を２４Ｖに変換し、その２４Ｖの電圧をパチンコ機２に供給するようになっている。従ってトランス５９には、低電圧コンセントとしての２４Ｖ用コンセント５８が接続されており、この２４Ｖ用コンセント５８は、パチンコ機２以外の各種機器用の１００Ｖ用コンセント５７と容易に区別できるよう黒色且つ丸状に形成されている。つまり、１００Ｖ用コンセント５７と２４Ｖ用コンセント５８とは、その色や形状が互いに相違するように設けられている。トランス５９は、パチンコ機２のピーク電流に耐えうるように、即ち、パチンコ機２が大当りやリーチ状態になって大きな電力を消費するときでも耐えうるようになっており、その容量は最近のパチンコ機２の仕様に合わせて２５０〜３００ＶＡぐらいのものが設置されている。
【００６３】
なお、電源線５５の配線は、上記したもの以外にも種々考えられ、例えば、上記した例では１本の電源線５５で２台のパチンコ機２及びそれに関連する２台のトランス５９、玉貸機３、呼出ランプ９の電力を賄うようにしたが、これは、それらの機器の仕様とブレーカの定格電流の範囲内で適宜変更するようにすればよい。
【００６４】
ここで、図１１および図１２を参照して電源線５５の配線の他の実施例を示す。図１１に示す電源線５５の配線態様は、図７に示した電源線５５の配線態様と異なるところが、トランス５９の替わりに１００Ｖ用コンセントを備えたトランス６９を使用している点にある。この１００Ｖ用コンセントを備えたトランス６９を使用すると、図１１に示すように、１本の電源線５５から分岐して２個設けられた１００Ｖ用コンセントのうち、１個のみにトランス５９の電源プラグを接続し、この１００Ｖ用コンセントに接続したトランス５９の１００Ｖ用コンセントに、もう一つのトランス５９を接続することができる。このような構成にすると、１００Ｖ用コンセント５７の電源プラグの差し込み口に余裕ができる。
【００６５】
また、図１２に示す電源線５５の配線態様は、図７に示した電源線５５の配線態様と異なるところが、トランス５９の替わりに大容量のトランス７９を使用している点、このトランス７９が１本の電源線５５に直結されている点にある。図１２に示したトランス７９は、１個のトランス７９に対して４台のパチンコ機２の電力を供給できるようになっており、その容量は１Ｋ（キロ）ＶＡぐらいのものが設置されている。また、トランス７９に直結されている電源線５５は、トランス７９以外に接続されるものはなく、他の１本の電源線５５に、４個の１００Ｖ用コンセント５７が分岐して接続されている。このような構成にすると、１００Ｖ用コンセント５７の電源プラグの差し込み口に余裕ができると共に、トランスの数を減らして配線の簡素化がはかれる。
【００６６】
しかして、図８ないし図１０に示すように、多数の電源線５５及び信号線５６は、パチンコ島台１の最上部であって欄間開放空間３８と遊技機設置空間３７のほぼ真上に位置する配線受け材３５の電源線受け部４８及び信号線受け部４７の上に引き通されてパチンコ島台１に配線される。
【００６７】
信号線５６は、上記したように、パチンコ島台１に設置される様々な機器、特にパチンコ機２と１対１で対応して設けられる玉貸機３や呼出ランプ９などの機器とホール管理コンピュータとに接続される比較的細くて軽い線であって、これら多数の信号線５６は、図８に示すように、欄間７を開放して露出する欄間開放空間３８を利用して、信号線５６を配線受け材３５の後ろ側（図８では右側）から引っかけるようにして信号線受け部４７に嵌入することで、パチンコ島台１に容易に配線することができる。
【００６８】
また、各種機器の修理や点検等に係わる信号線５６の配線作業は、欄間７を開放して露出する欄間開放空間３８を利用して、信号線受け部４７から信号線５６をつまみ上げるようにして一旦取り出し、その後修理、点検を終えたら、再び信号線５６を信号線受け部４７に嵌入するだけの簡単な作業で行うことが可能となる。即ち、配線受け材３５が欄間開放空間３８の真上近傍に設けられる本実施形態の島台内配線構造では、パチンコ島台１の側方向から各種機器の信号線５６を簡単に配線受け材３５に出し入れすることができるので、信号線５６の配線作業の効率が極めてよくなる。
【００６９】
一方、パチンコ機２や各種機器の電源線５５は、信号線５６に比べ重くて太く嵩張るが、このように配線受け材３５がパチンコ島台１の最上部にあると、上方の開放空間から一気に複数の電源線５５をまとめて電源線受け部４８に入線することができ、極めて作業効率がよくなる。そして、電源線５５から分岐する１００Ｖ用コンセント５７は、図８に示すように、その本体が上記した縦桟３３ａの下部にビス等で取り付けられるようになっており、その電源コードは縦桟３３ａに沿ってタッカーなどを用いて付着されるようになっている。
【００７０】
このように、欄間開放空間３８内に１００Ｖ用コンセント５７を取り付ければ、トランス５９、玉貸機３、呼出ランプ９などの機器が１００Ｖ用コンセント５７に接続されても、欄間開放空間３８内でこれらの電源コードは下縁の方に配線されることになり、従って、上記したような欄間開放空間３８内でこれらの電源コードが邪魔になって各種機器の修理や点検等の作業に支障を来すことがなく、同様に、補給樋２７や玉分離器２８が玉詰まりを起こしたときなどのトラブルに対処する作業に支障を来すこともない。
【００７１】
さらに、このような各種機器の修理や点検等の作業中及び補給樋２７や玉分離器２８のトラブルに対処する作業中に、誤ってこれらの電源コードを引っかけて、各種機器の電源を遮断してしまうこともない。即ち、１００Ｖ用コンセント５７が欄間開放空間３８内の上部または上方になく、欄間開放空間３８内にトランス５９、玉貸機３、呼出ランプ９などの機器の電源コードがぶら下がっていないので、欄間７を開放して露出する欄間開放空間３８での様々な作業を極めて容易にすることができる。なお、１００Ｖ用コンセント５７は、横桟３２ｂに取り付けるようにしてもよい。
【００７２】
また、図９及び図１０に示すように、トランス５９は、上記した横桟３２ｂに略載置されるように取り付けられるようになっており、トランス５９から延びる２４Ｖの電源電圧をパチンコ機２に供給する２４Ｖ用コンセント５８は、図に示すように、遊技機設置空間３７内にフレキシブルに吊り下げ配置されるようになっている。つまり、遊技機設置空間３７内で存在するコンセントは２４Ｖ用コンセント５８のみになる。
【００７３】
このように、遊技機設置空間３７内に２４Ｖ用コンセント５８を配置するようにすれば、新装開店やパチンコ機２の入れ替えの際、パチンコ機２が遊技機設置空間３７に設置されたとき、即ちパチンコ機２がパチンコ島台１に設置されたとき、パチンコ機２に電源を供給するためパチンコ機２の本体部を回動させて遊技機設置空間３７を露出させると、該遊技機設置空間３７には２４Ｖ用コンセント５８しか見えないので、従って、誤って１００Ｖ用コンセント５７にパチンコ機２の電源プラグを差し込んでしまい、高価なパチンコ機２の制御基板等が破損してしまうというようなトラブルを防止することができる。しかも、２４Ｖ用コンセント５８は、遊技機設置空間３７内にフレキシブルに吊り下げ配置されているので、パチンコ機２の電源プラグを２４Ｖ用コンセント５８の差し込み口に差し込むことは、極めて容易に行うことができる。
【００７４】
加えて、２４Ｖ用コンセント５８は黒色且つ丸状、１００Ｖ用コンセント５７は白色且つ矩形状というように、互いの色および形状を異なるようにしたので、これにより、さらに上記したような配線ミスを極めて有効に防止することが可能になる。なお、この２４Ｖ用コンセント５８および１００Ｖ用コンセント５７の色および形状は、互いに異なる色および形状であれば、特に限定されるものではない。
【００７５】
さらに、この２４Ｖ用コンセント５８も、１００Ｖ用コンセント５７と同様に、欄間開放空間３８内の上部または上方になく、欄間開放空間３８内にパチンコ機２の電源コードがぶら下がっていないので、誤ってパチンコ機２の電源コードを引っかけて、パチンコ機２の電源を遮断してしまうこともないので、欄間７を開放して露出する欄間開放空間３８での様々な作業を極めて容易にすることができる。
【００７６】
以上の説明から明らかなように、本実施形態の島台内配線構造は、配線受け材３５をパチンコ島台１の最上部に設け、上方の開放空間から複数の電源線５５を一気に入線できるようにしたので、電源線５５の配線作業が極めて容易となる。さらに、配線受け材３５に信号線受け部４７と電源線受け部４８とを一体的に設けたので、両者を個別に設けるのに比べて設置作業の手間が省け、且つ信号線５６を、欄間７を開放して露出する欄間開放空間３８を利用して、パチンコ島台１の側方向から配線受け材３５に出し入れすることができるので、信号線５６の配線作業も極めて容易となる。
【００７７】
加えて、配線受け材３５は、パチンコ島台１の両側で遊技機設置空間３７と欄間開放空間３８の真上に位置するように長手方向に沿ってパチンコ機２と対応するように設けたので、電源線５５や信号線５６の配線作業は、パチンコ島台１の片側に配置される配線だけを考慮して行えばよく、誤って背面対向するパチンコ機２に係わる配線と混同することがないので、これにより配線ミスを容易且つ効率的に防止できる。
【００７８】
また、配線受け材３５は、パチンコ島台１の長手方向に沿ってパチンコ機２と対応するように個別に複数設けるようにしたので、例えば配線受け材３５をパチンコ島台１の長手方向に沿って連設するように形成した場合に比べ、信号線５６を配線受け材３５の後ろ側から引っかけるようにして容易に信号線受け部４７に嵌入することができ、一方、信号線受け部４７から信号線５６を取り出すときも、配線受け材３５のそばの信号線５６をつまみ上げることで、信号線受け部４７から信号線５６を容易に取り出すことができる。即ち、配線受け材３５を個別に複数設けることで、配線受け材３５への信号線５６の出し入れが極めて容易になり、さらに配線受け材３５の取り付けが容易になると共に、配線受け材３５の材料が節約できてコストダウンとなる。
【００７９】
また、欄間７を開放して行う各種機器の修理や点検、あるいは補給樋２７や玉分離器２８の玉詰まりを解消する作業などは、欄間開放空間３８にパチンコ機２や各種機器の電源コードがぶら下がっていないので、作業中に誤ってこれらの電源コードを引っかけて、各種機器の電源を遮断してしまうことがなく、極めて容易にすることができる。
【００８０】
また、パチンコ機２の本体部を回動させてパチンコ機２に電源を供給するとき、パチンコ機２の本体部を回動させてできるパチンコ島台１内部の空間、即ち遊技機設置空間３７には、低電圧コンセントとしての２４Ｖ用コンセント５８以外のコンセントは見えないようにし、さらに、低電圧コンセントと高電圧コンセントとの色や形状を相違するようにしたので、これにより、誤って１００Ｖ用の高電圧コンセントにパチンコ機２の電源プラグを差し込んでしまい、高価なパチンコ機２の制御基板等が破損してしまうというような誤配線をなくすことができる。
【００８１】
以上、本発明の実施の形態を図面に基づいて説明してきたが、具体的な構成は実施の形態に示したものに限定されるものではなく、本発明の要旨を逸脱しない範囲における変更や追加などがあっても本発明に含まれる。
【００８２】
例えば、本実施形態において配線受け材３５は、図５に示すように構成したが、これは、図１３及び図１４に示すようにしてもよい。図１３は、他の実施形態に係わる配線受け材１３５の全体斜視図であり、図１４は、他の実施形態に係わる配線受け材１３５をパチンコ島台１に取り付けた状態を示す斜視図である。
【００８３】
この他の実施形態に係わる配線受け材１３５が上記した配線受け材３５と異なる点は、側片１３６と上板１３７の構成を追加した点であり、図１３に示すように、配線受け材１３５は、底板４２を短く形成して、この短く形成した底板４２の奥行き方向の手前側端部に側片１３６を立設し、該側片１３６と取付片４３の上端部を底板４２と平行な上板１３７で連結するように構成されている。従って、電源線受け部４８は、底板４２、仕切片４６、側片１３６とで形成される略コの字状領域となり、側片１３６、上板１３７、取付片４３とで形成される逆向きの略コの字状領域には、図１４に示すように、横桟３２ａが嵌合するようになっている。
【００８４】
また、本実施形態において配線受け材３５は、図１０に示すように、パチンコ機２と１対１で対応するように設けるようにしたが、これは、図１５に示すように、パチンコ機２と１対２で対応するように設けてもよい。図１５は、他の実施形態に係わる配線受け材３５をパチンコ機２と１対２で対応するように設けたときのパチンコ島台１の中央から左側の内部構造の一部を示す正面図である。このように、配線受け材３５のパチンコ島台１への取付数は、適宜変更するようにすればよい。ただし、配線受け材３５の数があまり少ないと、配線受け材３５同士の距離が長くなり、その結果、電源線５５や信号線５６が垂れ下がってしまうので好ましくない。
【００８５】
次に特許請求の範囲の構成と、本発明の実施形態との主な対応を説明する。
島台は、パチンコ島台１に相当し、遊技機は、パチンコ機２に相当し、関連機器は、玉貸機３、呼出ランプ９、トランス５９に相当し、電源線は、電源線５５に相当し、信号線は、信号線５６に相当し、遊技機設置空間は、遊技機設置空間３７に相当し、欄間は、欄間７に相当し、欄間開放空間は、欄間開放空間３８に相当し、配線受け材は、配線受け材３５に相当し、高電圧コンセントは、１００Ｖ用コンセント５７に相当し、低電圧コンセントは、２４Ｖ用コンセント５８に相当し、嵌入部は、信号線受け部４７、電源線受け部４８に相当し、取付位置調整手段は、長穴４４に相当し、トランスは、トランス５９に相当する。
【符号の説明】
【００８６】
１…パチンコ島台（島台）、  ２…パチンコ機（遊技機）、
３…玉貸機（関連機器）、  ５…妻板、
６…カウンター、  ７…欄間、
８…幕板、  ９…呼出ランプ（関連機器）、
１０…腰板、  １１…幅木、
１２…玉研磨揚送装置、  １３…収納ボックス、
１５…代表ランプ、  １６…玉返却計数装置、
２１…下部貯留タンク、  ２５…上部貯留タンク、
２７…補給樋、  ２８…玉分離器、
３０…回収樋、  ３２ａ、３２ｂ、３２ｃ…横桟、
３３…島柱、  ３３ａ…縦桟、
３４…連結板、  ３５…配線受け材、
３７…遊技機設置空間、  ３８…欄間開放空間、
４０…アウト玉計数ボックス、  ４２…底板、
４３…取付片、  ４４…長穴（取付位置調整手段）、
４５…側片、  ４６…仕切片、
４７…信号線受け部（嵌入部）、  ４８…電源線受け部（嵌入部）、
５３ネジ、  ５５…電源線、
５６…信号線、  ５７…１００Ｖ用コンセント、
５８…２４Ｖ用コンセント、  ５９…トランス（関連機器）、
６５…ブレーカーボックス、  ６９…トランス、
７９…トランス、  １３５…配線受け材、
１３６…側片、  １３７…上板
【図１】
0005625552.tif 000002
【図２】
0005625552.tif 000003
【図３】
0005625552.tif 000004
【図４】
0005625552.tif 000005
【図５】
0005625552.tif 000006
【図６】
0005625552.tif 000007
【図７】
0005625552.tif 000008
【図８】
0005625552.tif 000009
【図９】
0005625552.tif 000010
【図１０】
0005625552.tif 000011
【図１１】
0005625552.tif 000012
【図１２】
0005625552.tif 000013
【図１３】
0005625552.tif 000014
【図１４】
0005625552.tif 000015
【図１５】
0005625552.tif 000016